(57)【特許請求の範囲】
【請求項１】
（Ａ）麻酔薬を通して放出できる出口を規定する麻酔薬供給容器と、
（Ｂ）前記容器内の出口弁部材、および前記出口を通る流れを阻止する延びた閉じた位置へ前記出口弁部材を偏倚させる第一のばねと、
（Ｃ）前記容器を受け、前記麻酔薬を気化器内に入れることができる受け部を有する気化器と、
（Ｄ）前記受け部内の可動係合部材、および前記係合部材を完全に押されていた位置から延びた位置まで偏倚させる、前記受け部内の第二のばねとを備え、
前記容器が前記受け部内に挿入された時に、前記係合部材は前記出口弁部材に係合できて、前記完全に押された位置へ押され、前記係合部材は前記完全に押された位置に保持されて前記延びた位置から離れて更に動くことがないようにし、
前記第二のばねの圧縮力は前記第一のばねの圧縮力より弱く、それにより、前記係合部材が前記完全に押された位置に押された後でのみ、前記出口弁部材は前記係合部材によって前記閉じた位置から離れて動かされる、液体麻酔薬を麻酔薬気化器に供給するための供給装置。
【請求項２】
前記受け部が入口弁座を含み、
前記係合部材が前記延びた位置にある時に、前記入口弁座を封じて前記受け部内への流れを遮断するための入口弁部材を前記係合部材が含む、
請求の範囲第１項に記載の装置。
【請求項３】
前記容器が前記出口を規定する口を有し、前記受け部が前記口を受け、前記受け部を通じて前記麻酔薬が重力により前記気化器内に流れ込むことができ、前記口は前記受け部の所に配置されて、前記容器内へのガスの流れが前記麻酔薬によって阻止された時に、前記気化器内部の前記麻酔薬の最高レベルを規定する、請求の範囲第１項または第２項に記載の装置。
【請求項４】
前記口と前記気化器の間に周囲空気取り入れ通路が規定され、前記口によって規定される前記出口を通って前記容器の中に空気の流れを流すために、前記取り入れ通路が前記気化器の外部から前記口まで延びる請求の範囲第３項に記載の装置。
【請求項５】
前記口が前記容器と一体の外すことができない部分であり、
前記通路が前記口と前記受け部の間の環状間隙を含む請求の範囲第４項に記載の装置。
【請求項６】
前記容器の前記出口は前記受け部の上に配置されて、重力による流れによって前記受け部を充たし、前記出口における前記気化器の所定の最高充填レベルを設定する、請求の範囲第１項または第２項に記載の装置。
【請求項７】
前記容器が前記出口を規定する口を有し、
前記口は前記出口に通じる内部流通路を規定する請求の範囲第６項に記載の装置。
【請求項８】
前記容器が口と、その口を支持し、かつ囲む静止指標カラーとを含み、
前記口は（１）延びた位置と、（２）引っ込んだ位置との間を前記カラーの内部で長手方向に動くことができる請求の範囲第６項に記載の装置。
【請求項９】
前記容器と前記受け部の一方が突出部を有し、前記容器と前記受け部の他方が、前記突出部を受けて前記受け部を前記容器にのみ使用できるようにする協働するくぼみを有する、請求の範囲第６項に記載の装置。
【請求項１０】
前記容器が、前記麻酔薬を含む中空本体と、その本体に装着される口と、前記口の周囲の静止カラーと、前記本体を前記口の近くで封じるもろい膜とを含み、前記口は（１）延びた位置と、（２）引っ込んだ位置との間を前記カラー内部で長手方向に動くことができ、前記口は前記もろい膜に係合するための近端部を有し、かつ前記口は、前記受け部に係合して、前記受け部内への前記口の動きを制限することによって、前記膜が前記口の近端部によって破られるように、前記本体と前記カラーが前記膜を有する前記口に対して動き続けることができるようにする末端部を有する請求の範囲第９項に記載の供給装置。
【請求項１１】
前記口が外部ラチェット歯を有し、前記カラーが、（１）前記口が前記延びた位置へ向かって動かされた時に前記歯の上を動くため、（２）前記歯の一本に係合して前記引き込まれた位置への前記口の動きを阻止するための爪を有する請求の範囲第10項に記載の装置。
【請求項１２】
前記容器内の出口弁座であって、前記出口弁部材が該出口弁座に対して閉じた位置へ向かって偏倚されることにより、前記出口を通る流れが阻止される出口弁座と、
前記容器に取外しできるようにして取り付けられたキャップであって、前記出口弁部材に係合してその出口弁部材を出口弁座から離れた状態に保持して、キャップを外す前は、前記出口弁座と出口弁部材の間の接触を阻止するキャップとを備える、請求の範囲第１項または第２項に記載の装置。
【請求項１３】
前記容器が前記出口弁座および前記出口弁部材の内側に配置されたもろい膜を含み、
前記膜は前記容器の内部の周囲を封じて、前記膜の内側の前記容器の一部への、および前記容器の一部からの、流れを阻止する請求の範囲第12項に記載の装置。
【請求項１４】
前記容器は、前記麻酔薬を含む中空本体と、前記本体におけるカラーと、前記カラーの内部に装着されて、（１）延びた位置と、（２）引っ込んだ位置との間を長手方向に動くことができる口と、前記中空本体を前記口の内側で封じるもろい膜とを含み、
前記口は前記もろい膜に係合するための近端部を有し、かつ前記受け部に係合して、前記受け部内部への前記口の動きを制限する構造を有し、それにより、前記本体と前記カラーは、前記膜を前記口の近端部に対して支持し、前記膜を破るように、前記口に対して内側に動くことができる、請求の範囲第１項または第２項に記載の装置。
【請求項１５】
前記口によって規定される出口弁座を更に含み、前記出口弁部材は前記口内部に支持され、閉じた位置に偏倚されて前記出口弁座を封じ、前記出口弁部材は前記入口弁部材に係合できて、前記容器が前記受け部に受けられた時に、最初に前記入口弁部材を開き、その後で前記出口弁部材を開くという、順次開放を行う請求の範囲第14項に記載の装置。
【請求項１６】
前記出口弁部材は前記出口弁座に係合するための封じキャップを含み、前記出口弁部材は前記出口弁座に対して閉じた位置に向けて偏倚され、
前記封じキャップは前記出口弁座に係合するための周辺封じ面を有する、
請求の範囲第１項から第６項のいずれか一項に記載の装置。
【請求項１７】
前記出口弁座が内向きに凹で、弧状であり、
前記封じキャップの封じ面が外向きに凸で、弧状であり、
前記封じキャップが下の支持部材の上にスナップ式にはめ込まれる別体の構造である、請求の範囲第16項に記載の装置。
【請求項１８】
前記下の支持部材が閉じた位置へ向かって偏倚されて、前記封じキャップを前記出口弁座に対して押す請求の範囲第17項に記載の装置。
【請求項１９】
前記容器が前記出口の周囲に環状端面を規定し、
前記容器の前記出口の近くの内面にねじが規定され、
前記容器が、前記容器のねじにねじ合わすようにねじが切られた内部スカートを有する上キャップを含む、
請求の範囲第１項から第６項に記載の装置。
【請求項２０】
前記上キャップが外部スカートを含み、
前記上キャップが、前記出口の周囲の前記容器の前記環状端面に封じるようにして係合する前記内部スカートと前記外部スカートの間に配置されたガスケットを含む、
請求の範囲第19項に記載の装置。
【請求項２１】
前記容器が、挿入された環状保持器と、前記出口へ向かって、または前記出口から離れて動くようにされたプランジャと、前記プランジャを前記出口へ向かって押すために、一つの端部が前記環状保持器に支持され、他の端部が前記プランジャに支持される圧縮ばねである前記第一のばねとを含み、
前記プランジャは前記出口弁部材を含み、
前記容器が、前記出口弁部材が前記第一のばねによって押されて耐密係合される出口弁座を規定する、
請求の範囲第１項から第11項に記載の装置。
【請求項２２】
前記出口弁部材が前記プランジャをスナップ式にはめ込まれる封じキャップを含み、
前記封じキャップは外に凸の弧状周辺封じ面を規定し、
前記出口弁座が内に凹の弧状座面を規定する、
請求の範囲第21項に記載の装置。
【請求項２３】
前記受け部の壁は、前記麻酔薬が内部を重力によって流れて前記気化器に入ることができるようにする全体として円筒形の通路を規定し、前記受け部の壁は、前記通路に対して長手方向に向けられて、その通路に通じる、リブおよび溝の少なくとも一方を規定し、
前記容器のカラーまたは口は前記受け部通路内に受けられて、前記麻酔薬の流れを前記気化器へ向け、前記カラーまたは前記口は該カラーまたは該口の上を長手方向に向いた前記リブと前記溝の他方を規定し、前記溝は前記リブを受けるように構成されており、これにより前記カラーまたは前記口を前記リブと前記溝が整列するように配置することができ、前記カラーまたは前記口を前記受け部に挿入することを可能にする、請求の範囲第１項から第22項のいずれか一項に記載の装置。
【請求項２４】
前記管構造がじょうご口を含む請求の範囲第23項に記載の装置。
【請求項２５】
前記リブが前記カラー上に若しくは前記口上に規定され、前記溝が前記受け部に規定される請求の範囲第23項に記載の装置。
【請求項２６】
前記口は該口上の周辺方向に等しく隔てられる三つの前記リブを規定し、前記受け部が前記通路の周囲を周辺方向に等しく隔てられる三つの前記溝を規定する、
請求の範囲第23項に記載の装置。
【請求項２７】
前記リブが二つの平行側面と、前記二つの側面を連結する部分的に円筒形の外面とを有する請求の範囲第23項に記載の装置。
【発明の詳細な説明】
技術分野
本発明は、麻酔薬を容器から麻酔薬を患者に投与するための気化器（vaporizer）へ安全に移すために医療設備で使用するための装置に関する。
発明の背景および従来技術によって提起される技術的諸問題
吸入可能な麻酔薬（麻酔剤（anesthetic agents）と呼ばれることもある）は通常は沸点が低く、蒸気圧が高い揮発性の物質である。それらは液体状態と気化状態の両方で引火しやすく、かつ爆発性の物質である。更に、医療従事者が蒸気を吸い込むと眠気を催すことがある。
したがって、医療従事者が吸い込む危険を最小限に抑え、かつ火災または爆発の恐れを最小限に抑えるために、そのような麻酔薬は手術室で安全に取扱わなければならない。好ましくは、取扱いの全ての段階において大気中への放出がほとんどまたは全く無いようなやり方で麻酔薬を使用しなければならない。
麻酔薬は、酸素および窒素酸化物を麻酔薬に混合する気化器などの装置に通常液体の形で供給される。混合物は吸入する患者に気体の形で供給される。
麻酔薬ガスが大気中に逃げる可能性を最小限に抑える閉じた系を通じて、麻酔薬を供給容器から気化器に供給するための装置が考案されている。この装置は、組立て作業および分解作業中に麻酔薬の供給容器が開かれず、大気中に露出されないように構成されている。
麻酔薬容器を気化器に連結するために開発された一つの装置が、アメリカ合衆国60064−3500イリノイ州Abbott  Park,One  Abbott  Park  Road所在のAbbott  Laboratories,Inc.およびイタリア  Latina,Campoverde04010所在のAbbott  S.p.A.によって販売されているSECURITY  LOCKTM  Vapofill気化器連結器である。それは使い捨て可能で、両端に特殊な連結部材すなわち結合部材を有する連結器チューブを使用する。そのチューブはたわみやすく、もつれに強い。チューブの気化器端部に気化器連結器、アダプタ、結合部材、または麻酔薬気化器に係合するピンが設けられる。取外しできるキャップでこれを最初にふさぐことができる。麻酔薬容器に取り付けられているチューブの端部には、麻酔薬容器のふたに係合するふたアダプタ（closure adaptor）が設けられる。
ふたは使用前に麻酔薬容器に連結することが好ましい。容器ふたは、ふたアダプタがふたに係合した時にふたアダプタ内の突き通し（piercing）手段によって穴をあけるようにされたもろいシール（frangible seal）を有する。突き通し手段によってもろいシールに穴をあけた後は、ふたアダプタとふたは一緒にロックされたままであり、これによって麻酔薬を供給容器からチューブを通って気化器まで送ることができるようにする。組立作業または分解作業を通じて、この装置は大気中に対して閉じられたままである。
上記SECURITY  LOCKTM送り装置は液体麻酔薬を気化器に送るのに効果的であるが、オペレータは、最高レベルを超えて気化器をあふれさせることを避けるようにして麻酔薬を気化器に適切に入れなければならない。これは、気化器内に存在する麻酔薬のレベルを確認し、気化器をあふれさせない量の麻酔薬が入っている供給容器から麻酔薬を出す、などの種々のやり方で行うことができる。あるいは、容器の中に大量の麻酔薬が入っている場合には、気化器内の麻酔薬が希望の最高レベル（たとえば、気化器に連結されている点検窓で見ることができるなど）に達した時に充填作業を終了できるように、充填作業を監視することもできる。
その作業は正しく行われれば良く機能するが、もっと便利で、オペレータによる慎重な監視の必要のない改良された装置を得ることが望ましい。とくに、そのような改良した装置が、供給容器内部の麻酔薬の量とは無関係に、所定のレベルで気化器への充填を確実に停止するための方法を提供できるならば有利であろう。
また、その改良された装置が、比較的長い保管寿命中麻酔薬を保管でき、しかも気化器に充填するために容器の後の使用に悪影響を及ぼさない程度に、容器構造が劣化しないような容器の部品および構造を用いるならばまた有利である。
更に、漏れる可能性を極めて小さくする設計を行うことができ、同時に気化器に比較的迅速に充填できるそのような改良した装置を得ることが望ましい。
いくつかの種類の気化器が特定の麻酔薬のみに使用されるようになっている。そのような状況では、特定の気化器には適切な麻酔薬のみが確実に入れられるように注意しなければならない。そのために、上記SECURITY  LOCKTM装置には、ある気化器に使用することを予定していない麻酔薬を、その気化器に使用することを阻止するキーイングシステム（keying system）が設けられている。
とくに、麻酔薬容器ふたは特定の形をしており、連結器チューブふたアダプタは容器ふたに係合する相補的な形を有する。容器チューブの他端部に、ピンは気化器麻酔薬入口ポート（inlet port）の相補部分に係合する特殊な形を有する。
気化器製造者は標準的な入口ポートの形状構造を定めている。それらは各種の麻酔薬に特有のI.S.O.（国際標準化機構）形状構造に標準化されている。おのおのの種類の麻酔薬用の容器はそれ自体の特殊なふた形状および色を有し、かつ対応する連結器装置がその種類の麻酔薬に対して構成された種類の気化器のみに係合するので、気化器に誤った種類の麻酔薬を不注意で使用する確率が大幅に低下する。
そのようなキー付き連結器チューブは満足に機能するが、その適切な使用には在庫、取付け、操作および管理などの諸要件および考慮事項が関連して存在する。そのような要件および考慮事項を最小限にすることが望ましい。とくに、容器が気化器に不適切に連結されることがある可能性を最小にするために改良された連結構造すなわち係合構造を備えた装置を得ると有利である。そのような改良された装置は麻酔薬液体または麻酔薬蒸気が漏れないようにする連結の形成を容易にすべきである。
本発明は上記諸利点および諸特徴を有する構造に適合できる改良された麻酔薬移し替え装置を提供するものである。
発明の概要
本発明の一つの態様は、気化器のあふれを避けるやり方で容器から気化器への麻酔薬の適切な移し替えを容易にする方法を含む。この方法では、気化器内の受ける溜め容器（reservoir）の内部で麻酔薬の容器をひっくり返す。容器は麻酔薬を重力の流れ（gravity flow）で放出できる出口を規定する。溜め容器内部の麻酔薬の最高レベルを規定するように、容器出口は溜め容器の所に配置される。麻酔薬の上昇するレベルによって容器内へのガス（たとえば、周囲の空気）の流れが阻止されると、過剰の麻酔薬はひっくり返されている容器の中に留まって気化器の溜め容器には流れ込まない。
本発明の関連する装置態様によれば、供給装置（delivery system）は、麻酔薬を通して放出できる出口を規定する麻酔薬供給容器を含む。気化器は麻酔薬を保持するための溜め容器を含む。容器を受けるための受け部が気化器に含まれ、麻酔薬は受け部を通って溜め容器に入る。重力の流れによって溜め容器を充たし、容器出口において気化器の最高充填レベルを設定するように、容器出口は気化器の受け部内に配置される。
本発明の他の態様によれば、麻酔薬気化器には麻酔薬容器から液体麻酔薬も充填される。この方法は、麻酔薬容器をひっくり返すこと、および気化器の受け容器または通路内に容器を配置することを含む。
この方法の一つの態様においては、容器は出口構造を有し、この出口構造は出口弁と、麻酔薬と出口弁の間の連通を遮断するもろい膜（frangible membrane）とを含む。受け部または通路内で容器をひっくり返した後で、出口弁を開く。その後でもろいウェブ（web）を裂いて麻酔薬が重力で気化器内部に流れ込むことができるようにする。
この方法の他の態様では、容器は麻酔薬を含む中空本体（hollow body）と、この本体におけるカラー（collar）と、このカラーの内部に設けられて（１）引っ込んだ位置と（２）延びた位置との間を長手方向に動くことができる口（spout）と、中空本体を口の内側で封じるもろい膜とを含む。口はもろい膜に係合するための近端部を有し、かつ受け部の中への口の動きを制限するために受け部に係合するための構造を有する。容器をひっくり返して受け部内に配置し、内部へ動かして口が受け部に係合するようにする。受け部は口のそれ以上の内部への動きを制限する。容器とカラーの内向きの動きは継続し、それによって本体とカラーは口に対する内向きの動きを継続して、膜を口の近端部に対して移動させ、膜を裂く。
本発明の関連する装置態様によれば、供給装置は麻酔薬供給容器と、麻酔薬を容器から出すことができるように容器を受けるための受け部を備えた麻酔薬気化器とを含む。容器は麻酔薬を含む中空本体と、この本体におけるカラーと、このカラーの内部に設けられて（１）引っ込んだ位置と（２）延びた位置との間を長手方向に動くことができる口と、中空本体を口の内側で封じるもろい膜とを含む。
口はもろい膜に係合するための近端部を有し、かつ受け部の中への口の動きを制限するために受け部に係合するための構造を有する。したがって、本体とカラーは口に対して内向きに動き続けることができ、口の近端部に対して保持されている膜を口の近端部によって破ることができるようにする。
本発明の他の態様によれば、液体麻酔薬を麻酔薬気化器に供給するための供給装置は、麻酔薬を通して放出させることができる出口を規定する麻酔薬供給容器を含む。容器に便座（valveseat）が設けられる。容器に弁部材が設けられ、その弁部材は弁座に対して閉じた位置へ向かって偏倚しているので、出口を通る流れはふさがれる。容器にキャップが取り外しできるように取り付けられる。そのキャップは弁部材に係合し、弁部材を弁座から離して保持し、キャップを外す前に弁座と弁部材の間の接触を阻止する。
本発明の他の態様は、麻酔薬を通して放出できる出口が麻酔薬供給容器に設けられた、液体麻酔薬を麻酔気化器に供給する供給装置を含む。出口を通る流れをふさぐ延びて閉じた位置まで出口弁部材を偏倚させる第一のばねとともに弁部材が容器に設けられる。麻酔薬気化器上に容器を受けるために受け部が設けられる。出口弁部材を開いた時に麻酔薬を容器から受け部に出すことができる。
可動係合部材が、その係合部材を完全に押し付けられた位置から延びた位置まで偏倚させるための第二のばねと一緒に気化器受け部に設けられる。係合部材は出口弁部材に係合でき、容器が気化器受け部材に挿入された時に、完全に押し付けられた位置に押し込まれる。係合部材は、延びた位置から更に動かないように、完全に押し付けられた位置に保持される。係合部材が完全に押し付けられた位置に押し込まれた後でのみ、受け部にある係合部材によって出口弁部材が閉じた位置から離れて動くように、第二のばねの圧縮力は第一のばねの圧縮力より小さい。
この好適な実施例では、もろい膜を無くすことができる。出口弁は出口弁座に漏れ防止シール（leak−tight seal）を施すための封じキャップ（sealing cap）を含む。好ましくは、封じキャップは低密度ポリエチレンで製作し、受け構造にスナップ式（snap−fitted）にはめ込む。更に、可動口を組み込むのではなく、容器の好適な実施例は静止口（stationary spout）を含む。その静止口の内部には上キャップ（overcap）をねじ係合するためのねじが切ってある。上キャップを外した後で、容器は気化器の受け部の内部でひっくり返すことができ、受け部内の入口弁、または他の係合部材に係合したのに応じて出口弁が開かれる。液体麻酔薬の上昇レベルによって容器出口がふさがれることに関して上記のように最高充填レベルを定めるやり方とほぼ同じやり方で、固定されている口の出口によって気化器の最高充填レベルを設定することができる。
気化器に充填する他の方法では、従来の容器にじょうご（funnel）を使用できる。じょうごを気化器の受け部に差し込んで入口弁を開き、その間に液体麻酔薬をじょうごと、開かれている入口弁とを通って気化器の中に放出できる。
本発明の他の態様は、液体麻酔薬を麻酔薬気化器に供給するための供給装置におけるキー構造（keying configuration）に関するものである。この装置は、麻酔薬を保持するための溜め容器を気化器内に含み、受け部を気化器の上に含む。気化器は、麻酔薬が通って重力によって溜め容器の内部に流れ込むことができる全体として円筒形の通路を規定する壁を有する。受け部の壁は、通路に対して長手方向に向き、かつ通路に通じる少なくとも一つの溝を規定する。
受け部の外部の源から気化器内部への麻酔薬の流れを導くために、細長い管機構が受け部通路の中に受けられるように設けられる。その管構造は容器と一体にでき、かつ容器におけるカラーまたは口の部分を規定できる。あるいは、管構造はじょうごの口を含むことができる。
管構造は少なくとも一つのリブ（rib）を規定する。受け部はリブを受けるようにされた溝を有する。それによって管構造をリブおよび溝に整列させて、管構造を受け部の中に挿入できるように管構造を向けることができる。
複数のリブと複数の溝を用いることが好ましい。望むならば、その代わりにリブを受け部に設け、管構造は溝を含むことができる。リブおよび溝の構造を使用することによって、特定の麻酔薬に使用するための気化器と管構造を設計できる。
最後に、本発明の他の態様は、係合部材が受け部から外向きに突き出ている麻酔薬気化器に液体麻酔薬を供給する麻酔薬供給装置の一部として用いる容器のための新規な出口設計に関するものである。容器は麻酔薬を通して、放出できる出口を規定する。容器は出口において出口弁座を規定する。容器は弁座へ偏倚された出口弁を含む。出口弁は、入り口弁が閉じている時は弁座に係合する非平面封じ面（non−planer sealing surface）を規定する。気化器内の係合部材に係合することによって出口弁を開くことができる。出口弁は出口弁座に係合するための封じキャップを含むことが好ましい。
好適な実施例においては、出口弁は出口弁座に係合するための封じキャップを含み、封じキャップは外に凸の周辺弧状（arcuate）封じ面を有する。出口弁座は内に凹の弧状面によって規定される。
本発明の数多くの他の利点および特徴が本発明の以下の詳細な説明、請求の範囲および添付図面から容易に明らかになるであろう。
【図面の簡単な説明】
明細書の一部を構成する添付図面では、図面全体を通じて類似の部分を指すために同様な参照番号を用いる。
第１図は、ひっくり返されて麻酔薬気化器の受け部に装着されている麻酔薬容器を示す、本発明の原理に従って液体麻酔薬を麻酔薬気化器に供給するための供給装置の部分斜視図である。
第２図は、出口弁を開いた状態に保持するために上キャップが取り付けられている容器の垂直位置および封じられた状態における非常に拡大した部分横断面図である。
第３図は、第２図における平面３−３に全体として沿って取った部分横断面図である。
第４図は、上キャップを外して出口弁を閉じた後の容器を示す第２図に類似の図である。
第５図は、取り外しできるストッパを内部に有する気化器の受け部の非常に拡大した部分横断面図である。
第６図は、気化器受け部に装着される組合わされた係合部材および出口弁構造の側面図である。
第6A図、は第６図に示す組立体の上面図である。
第７図は、ストッパを外し、ひっくり返して気化器の受け部の中に一部が挿入されている、キャップをかぶせていない第４図の容器を示す第５図に類似の図である。
第８図は、第７図における平面８−８に全体として沿って取った部分横断面図である。
第９図は、気化器の受け部に一層挿入されている容器を示す、第７図に類似の図である。
第10図は、第９図における平面10−10に全体として沿って取った部分横断面図である。
第11図は、気化器の受け部に一層挿入されている容器を示す、第９図に類似の図である。
第12図は、気化器の受け部に完全に挿入されている容器を示す、第11図に類似の図である。
第13図は、上キャップをかぶせて、垂直位置および閉じた状態にある容器の好適な別の実施例の部分横断面図である。
第14図は、第13図に示す容器のプランジャ（plunger）の斜視図である。
第15図は、気化器に充填するための本発明の方法の別の態様を示す部分斜視図である。
第16図は、第15図に示す気化器に充填する方法の別の態様を示す、第12図に類似の図である。
第17図から第19図は、気化器と容器カラーと口に使用でき、または供給容器から気化器内に流れを向けるために用いる他の管に使用できる他のキーイングの実施例を示す横断面図である。
好適な実施例の説明
本発明は、麻酔薬容器を気化器に連結して気化器に充填するための方法および装置を含む新規なシステムを提供するものである。このシステムは種々の特徴および性能を有するいくつかの設計で提供できる。
本発明の一様によれば、このシステムは麻酔薬容器を、改良された係合構造と、支持構造と、弁作用構造と、封じ構造とを有する機器に連結する手段を含む。
本発明の一態様によれば、このシステムは気化器を重力により比較的迅速に充填でき、かつ気化器があふれるのを阻止する。
本装置は、気化器に装着され自動的に開く、封じられた容器を含むことができる。動的（dynamic）Ｏリング装置は必要なく、漏れたりこぼれたりするのを防止または最少にできる。
本発明は多くの異なる態様で実施できるが、この明細書および添付図面は本発明の例としてある特定の態様のみを開示している。しかし、本発明はそのように記述した実施例に限定することを意図するものではない。発明の範囲は添付の請求の範囲で定めている。
説明を容易にするために、本発明のシステム部品を正常な保管位置と動作位置において説明し、かつそれらの位置を基準として上、下、水平等の用語を用いることにする。ただし、本発明の部品は説明する位置以外の向きで製作し、保管し、輸送し、販売できることを理解されたい。
本発明の部品を示す図は、知られており、かつ当業者によって認識されるであろういくつかの機械要素を示す。本発明の理解にはそのような要素についての詳細な説明は不要であり、したがって、本発明の新規な特徴の理解を容易にするために必要な程度でのみ説明を行うことにする。
本発明の原理による充填できる気化器の一部を第１図に示す。その気化器を同図では参照番号20で示す。気化器20は麻酔薬供給容器24を受けるための受け部22を含む。受け部22を除き、気化器20の構造および動作は任意の従来の設計または特殊な設計にできる。それらの設計の詳細は本発明の部分を構成しない。
容器24は本体または本体部26を含み、この本体部は首28を含む。本体部26は液体麻酔薬を入れ、容器24をひっくり返して開くと（後で詳しく説明するようにして）、液体麻酔薬が重力で受け部22の中に流れ込んで気化器20内の溜め容器を充たす。
容器首28の上にガスケット（gasket）30と、ガスケット30の上に配置されたフランジ34を有するもろい膜インサート（insert）32と、膜インサートフランジ34の上部に配置されたフランジ38を有する指標カラー（indexing collar）36とが装着される。カラー36の内部に可動口40が装着される。容器首の上部と、ガスケット30と、インサート32と、カラーフランジ38との周囲に金属フェルール（ferrule）39がかしめられて組立体を一緒に保持する。
口40の上に可動キャップ42が装着されて、カラー36に固定される。この目的で、カラー36は環状溝44を規定し、キャップ42の下側内部周縁部が溝44にスナップ式はめ込みを行うための環状ビード（annular bead）46を規定する。
首28で規定された容器の開口部をもろい膜インサート32が覆う。その膜インサートは全体として円板状のもろい膜50を含む。容器本体26内の液体麻酔薬Ａを封じるために、インサート32は容器首28の内部に密封するように装着される。麻酔薬Ａを出せるようにするために、もろい膜50の周縁部は後で詳述する手段でもろい膜50を裂くすなわち破ることができる。
通常は、膜はインサート32の一体部分として、適当な熱可塑性ポリマー材料から成型できる。膜50の周囲の周辺環状領域を材料の薄くした部分で規定して、選択的に裂く場所すなわち破る場所を設ける助けとする。
容器本体26と首28は、麻酔薬に適合する、ガラスや熱可塑性材料などの適当な材料から製作できる。カラー36および口40も麻酔薬に適合する熱可塑性材料から製作することが好ましい。
同様に、麻酔薬には決して接触しないキャップ42は、容器にはめ込み式に係合取付けできる十分な弾性を有する適当な熱可塑性材料で製作できる。
カラー36は周辺方向に隔てられ、長手方向に向いた三つのリブ54（第３図）を有する。後で詳しく説明するように、それらのリブ54はキーとして機能し、かつ気化器の受け部のはめ込みくぼみ（recess）で受けられるようにされている。リブの寸法、形状および空間的な向きは容器24内に供給される特定の麻酔薬に合わせて設定できる。異なるリブ構成を持つ容器には他の麻酔薬が供給される。したがって、リブ構成は麻酔薬に特有のものであって、特定の麻酔薬容器および特定の麻酔薬用に設計された特定の気化器のみにその容器が挿入できる。
口40は膜50の近くに近端部を有し、その近端部は容器24の長手軸と膜50の面とに対して斜めの角度に向いた切込み縁部58を規定する。切込み縁部58の形は円形であって、後で詳しく述べるように、口40と膜50の間で相対運動が行われる時に、膜50の少なくとも一部分がインサート32の残りの部分から分離されるように、膜の周縁部の周囲の少なくとも部分的に膜を切断し、裂き、またはその他の方法で破るようにされている。
口40は、もろい膜インサート32の近くの領域において、インサート32の近くの環状肩64に係合するための環状溝62を規定する。口40は、その切り込み縁部58が膜50から離隔されるように、インサート肩64によって保持される。口のくぼみ62とインサート肩64の間の係合部分が低温形成されて、長い保管寿命の間一緒に付着されるようになる可能性を最小にするために、口のくぼみとインサート肩の間の係合はしまりばめ（tightly fitting）ではなく、かつ耐漏性（leak−tight）でもない。
口40の外側には複数の環状ラチェット歯（ratchet teeth）70が規定される。カラー36の末端部が口40のラチェット歯70と係合するための環状係合歯72を規定する。歯72が歯70に沿って末の方へ動けるように（または、歯70が歯72に沿って元の方へ動けるように）歯70と歯72は周知のやり方で構成される。しかし、逆向きの動きは可能ではない。
口40は、後で詳しく説明するように、容器の使用中にカラー36の末端部に係合して、カラー36が外向きに延びるフランジ78を超えて動くことを制限するために、歯70のアレイ（array）の末端部にそのフランジを規定する。
口40の末端部の丁度内側の口の内部の固定された場所にばね保持リング80が装着される。リング80は外側に突き出た環状フランジ82を有し、口40の内面にはフランジ82を受けるための環状溝84が規定される。
リング80はプランジャ90を受ける穴（bore）86を規定する。プランジャ90は第３図に示すように十字形の軸線方向横断面を有する。プランジャは四つの壁92を備え、壁92の下側部分はリング80の穴86に滑り可能に受けられる。壁92の上側部分は壁の下側部分よりも一層半径方向外側に延びて、口40の内側円筒面に係合する。
第一の圧縮ばね94がプランジャ壁92の下側部分の下側部分の周囲に装着される。ばね94の下端部がリング80に支持される。ばね94の上端部が壁92の外側に延びる上側部分の下側に支持される。
ばね94はプランジャ90を十分に延びた位置、または閉じた位置（第４図）まで上方に押すように機能する。プランジャ90の頂部は、口40の内部を密封して閉じるための円板状出口弁部材96を含む。口40の末端部は内側に延びる環状フランジを規定する。このフランジは出口弁座98を規定する。ばね94は出口弁部材96を閉じた位置へ向かって偏倚させて、出口弁座98に対して封じるように機能する。
液体麻酔薬の容器の保管寿命は比較的長いことがある。気化器に充填するためにこの容器を使用する前に、容器を何か月か保管することがある。この時間中は、連続して圧縮力を受けていると、容器の材料、とくに熱可塑性ポリマー物質がクリープ（creep）または常温流れ（cold flow）を生じて、僅かに変形したりまたは一緒にロックされたり、あるいはその両方を行うことがある。出口弁部材96と出口弁座98に対するそのような作用を避けるために、容器の保管中は出口弁部材96は出口弁座98から離して保持される。これは取外し可能なキャップ42によって行われる。そのキャップは充填される容器24の製作中に最初に取り付けられる。
第２図に示すように、キャップ42の上端部は下に突き出た円錐台形（frustoconical）の支持構造100を含む。この支持構造100は出口弁部材96に係合する。キャップ42が、第２図に示すようにカラー36のベースにスナップはめ込み式に係合されると、ばね94が多少圧縮され、弁部材96が出口弁座98の内側の隔てられた位置に保持される。
オペレータが容器24を使用することを望んだ時は、キャップ42をまず外す。その後でばね94が弁部材96を出口弁座98に強く押し付ける。続いて、容器24をひっくり返し、気化器の受け部22の中に入れる。第５図および第７図に示すように、受け部22は、入口通路と、くぼみまたは最も下すなわち第一の穴104を構成するウェル（well）と、直径がより大きい第二の穴106と、更に大きい直径の穴108と、最も外側のねじ穴110とを含む。気化器に麻酔薬が容器24から充填されない時は、気化器受け部22を封じ閉じるために、ねじ溝を切ったストッパ112（第５図のみ）を設けることが好ましい。
受け部22の中で固定インサートスリーブ（sleeve）114がストッパ112の内側に装着される。スリーブ114は、ねじ穴110の中に受けられる大きい直径の部分116を有し、かつ穴108の中に受けられるより小さい直径の部分118を有する。スリーブ114は内側の円錐台形封じ面120を有する。その封じ面には、ストッパ112の末端部に設けられているＯリング122が係合する。スリーブ部116は、容器が気化器の受け部に挿入された時に、容器カラー36のリブ54を受けるための三つの溝160を規定する。
Ｏリング124はスリーブ114のより小さい直径部分118の外側の溝126内にはめ込まれて、穴108の円筒壁に対して封じる。スリーブのより小さい直径の部分118の内端部が、内部弁部材132の外面に装着されている封じガスケット130に係合するための突き出た環状封じリング128を規定する。
入口弁部材132は係合部材134と一体で形成することが好ましい。係合部材はその内端部に、最も内側の穴104に受けられるピン136を含む。係合部材134は円筒部140を含む。この円筒部はピン136と入口弁部材132の間を延びる。入口弁部材132の中間から係合部材の末端部が外方へ延びる。その末端部は縦溝つきの部分144を含む。その縦溝つきの部分（fluted portion）は、縦溝つきのより小さい直径の係合ボス（boss）146に終端する。ボス146と部分144は垂直に向いた四つの溝すなわち通路（channel）148を規定する。後で詳しく説明するように、それらの溝は流体の流れを受ける。
穴106と108の中に第二の圧縮ばね150が配置される。バネ150の上端部は入口弁部材132の環状下側に支持される。ばね150の底端部は穴106の環状底面に支持される。こうして、第二のばね150は、入口弁部材132を、静止スリーブリング128を封じる閉じた位置へ向かって外側へ偏倚させる（図５参照）。
第７図に示すように、穴108は、受け部22に規定されている開口部すなわちスロット154を介してタンク158に通じる。そのタンクはある量の麻酔薬Ａを保持する。タンク158と、スロット154と、穴104、106、108とは一緒に内部溜め容器を規定する。この溜め容器は液体麻酔薬を容器24から受け、それを気化器の内部に保持する。
より多くの液体麻酔薬Ａを気化器20に充填したい時は、容器キャップ42を容器24から外し、容器24をひっくり返して第７図に示すように受け部22の中に配置する。最初に、容器カラー36の末端部を受け部22のすぐ外側に配置する。口40が受け部のねじ穴110内に延びる。口出口弁部材96が出口弁座98に対して封じられ、係合部材ボス146の末端部のすぐ近くにある。係合部材146、およびしたがって入口弁部材132は、最も外側の位置すなわち延びた位置にあり、弁部材132が閉じた入口を封じる。
次に、オペレータは、スリーブ上側部分116の内部の周囲に規定されるはめ込み受けくぼみ、すなわち溝160に三つのカラーキーリブ54を整列させるために必要なだけ、容器24を回す。その後で、容器24を第９図に示すように受け部22の中に更に挿入できる。
第二のばね150は第一のばね94より弱い。したがって、容器出口弁部材96は、ピン136が第一の穴104の底に係合するまで、受け部入口弁部材132を入口弁座128から押し離す。入口弁が開くと容器出口弁部材96は閉じたままである。この挿入段階中に第二のばね150が縮んでいる間は、容器スリーブ歯72と、係合された口の歯70との間の摩擦係合は、カラー36と口40の間の相対運動を阻止するために十分であることが好ましい。
容器を第９図に示す点を超えて挿入し続けると、口40の末端部が、第11図に示すように静止スリーブ114の下側部分118の内側底端部に接触する。口40と周囲の容器カラー36との間の摩擦係合は相対運動を阻止するのに十分であり、したがって容器24とカラー36と口40が第11図に示す位置まで内向きに更に動くにつれで第一のばね94は圧縮され、プランジャ90と、それによって支持されている出口弁部材96は、係合ボス146によるそれ以上の内向き運動を行わないように拘束される。したがって、入口弁部材132が開いた後で出口弁部材96が開くが、もろい膜50は容器本体内の液体麻酔薬Ａを封じる位置に依然としてある。
その後で、口40の末端部と受け部22内の静止スリーブ部118との係合によってそれ以上内側に動かないようにされている口40に対して、カラー36内の容器を内側に動かすことによってのみ、容器24とカラー36のそれ以上の内向きの動きを行わせることができる。したがって、カラー36は口40に沿って内側に滑り、カラーの歯72は口のラチェット歯70に沿って内側に動く。この操作中はカラー36を口40に対して外側に引くことができない。その理由は、カラーの歯72と口の歯70の間に一方向係合関係が存在するためである。
容器24とカラー36が内側へ更に動いても、口40は静止したままで、その末端部はスリーブ部118に接触している。しかし、もろい膜50は口40の末端部で切断縁部58に対して容器24によって支持されている。切断縁部58はもろい膜50の周縁部の少なくとも一部を切断して、第12図に示すようにもろい膜50を脇へ押す。カラー36の末端部が口40のフランジ78に接触すると、容器24とカラー36のそれ以上の内向きの動きが阻止される。
容器24と、それと共に支持されている膜インサート32が口40に対して内向きに動くと、切断縁部58に近い口の近端部はインサート肩64から離れて動き、もろい膜50のすぐ内側でインサート32と共に漏れ防止シールを形成する。したがって、もろい膜50が裂けると、液体麻酔薬は口40の外部に沿って漏れることはできない。麻酔薬は口40の内部を通って流れ、開いている出口弁部材96を通って出る。麻酔薬は重力により口40から、静止スリーブ114の穴と、開いている入口弁部材132と、穴154とを通ってタンク158に流れ込む。ある種の気化器では、タンク158には穴が開けられてタンクへの流れを受ける。
圧力を等しくする周囲の空気が特殊な間隙路すなわち通路を通じて容器に流れ込むために、液体麻酔薬は容器24から放出される。とくに、口40の末端部の外面は周囲のスリーブ114の中にゆるく配置されているだけである。第12図に示すように、周囲の空気は溝160に沿って受け部22に入ることができ、かつ溝160の底で口40の外面と近くの静止スリーブ114の間の間隙に入る。その後で周囲の空気は口40の外部末端部の周囲を流れて、口40の出口領域に入る。
液体麻酔薬が重力の下に口40から流れ出ると、周囲の空気が流れ込む。最後には溜め容器（穴を開けられているタンク158と、通じる通路および穴によって規定される）内の麻酔薬Ａの液体レベルは、第12図に文字Ｐで示されている最高点において口出口の内末端部をちょうど覆う点まで上昇する。
口40の端部と静止スリーブ114の間の間隙が点Ｐにおいて液体麻酔薬Ａによってちょうど覆われると、空気はもはや口を通って容器の中に入ることはできない。空気のこの遮断により容器24の内部の圧力はそれ以上等しくできないようになる。したがって、容器に残っている液体麻酔薬は、結果として生ずる圧力差（すなわち、レベルLv1における液体麻酔薬の所与の周囲圧力と、容器内で液体麻酔薬の上に生じようとする低下した圧力）のために排出されることを妨げられる。容器に残っている液体麻酔薬Ａが、第12図にレベルLcを持つものとして示されている。
タンク158が大気中に通じていないとすると、静止スリーブ114の延長した下側部分のために、タンク158内部の麻酔薬Ａのレベルは、第12図に示すレベルLv2より上に上昇することはできない。しかし、いずれにしても、穴を開けたタンク158または穴を開けられていないタンク158についておそらく得ることができる最高レベルは、口出口の下縁部の最高点Ｐによって定められるレベルLv1を超えない。
本発明の新規な装置を用いると、オペレータは容器を受け部の中に挿入でき、充填作業中は容器を気化器の上に保持するだけでよい。口出口の最高点の最も内側の場所によって予め定められている最高レベルまで、気化器は比較的迅速に自動的に充填される。
その後でオペレータが容器24を取り外すことを望んだとすると、カラーの歯72と口の歯70の係合によって口が受け部から引き出される。口が引き出されるにつれて、容器出口弁部材96が閉じる（容器の第一のばね94は受け部ばね150より強い）。その後で、口が外側へ更に引かれると、受け部弁部材132が閉じる。容器の、閉じた弁部96より内側に液体麻酔薬が残っているならば、その液体は、もちろん、閉じた容器の内部に封じられる。そうすると閉じた受け部弁部材132の上部に少量の液体麻酔薬が残るが、それはストッパ112（第５図）を交換することによって受け部内部に封じ込められる。
希望によっては、受け部22内でねじ合わすように容器24を構成できる。また、希望によりこの装置に受け部の穴または通路に通じる排出口を設けることができる。その排出口は取り外しできるキャップ170（第１図）を有する。その場合、装置のその部分から排出させるための代わりの排出通路が設けられる。
容器24は、取り付けられたカラー36と口40を含む一体構造として容器24を設ける必要がないことがわかるであろう。意図する別の実施例においては、口などの出口構造を、医療施設に配布すべきキット（kit）として容器と共に提供できる。あるいは、提供される別個の容器に使用するために、口を医療施設に別々に供給できる。好ましくは、取扱いを容易にし、気化器の受け部内部に挿入できるようにし、かつ容器本体から口を通って気化器内部に液体麻酔薬を流れ込ませるように、口および容器を十分に係合させて一緒にはめ合わされるようにする。
容器224のここで意図している好適な実施例を第13図と第14図に示す。この好適な実施例では第２図から第12図に示す第一の実施例の可動口40は不要である。その代わりに、口とカラーを一体の静止構造として設け、または口240を容器首241に取り付ける。とくに、静止口240は、容器本体首の環状端面237の上の低密度ポリエチレン・ガスケット234の上に配置されるベースフランジ238を含む。部品を所定場所に保持するためにそれらの部品の周囲にアルミニウム製フェルール239をかしめる。
更に、第２図から第12図に示す第一の実施例とは異なって、第13図と第14図に示す好適な実施例はもろい膜インサート（たとえば、第２図に示すようなもろい膜50を含むインサート32）は含まない。第13図に示す好適な実施例における静止口240の内部は容器本体首241を通じて容器224内部の液体麻酔薬に直接通じる。
口240の内側円筒壁の底における環状通路284にばね保持器280が圧入される。その保持器は圧縮ばね294の底を支持する。そのばねの上端部は、内部プランジャ290を規定する四つの交差壁の外側へ延びる部分291に対して偏倚される。
プランジャ290の頂部は弁部材すなわちヘッド296を含む。ヘッドは、封じキャップ297をスナップ式にはめ込み係合するための細くした首すなわち溝295で囲まれる。封じキャップ297は低密度ポリエチレンで製作し、かつ弧状の窪んだ出口弁座298にきつく封じるように係合させることが好ましい。封じキャップ297の上周縁部は弁座に係合するための凸状円弧封じ面を有する。
好ましくは、プランジャ209は壁92の頂部から延びて、封じキャップ298の内側に集まる円錐形形成物299を有する。これは容器からの液体麻酔薬の流れを促進する。
口240の内部上端部は、上部キャップ342の内側に延びる内部スカート（skirt）上のねじ303にねじ合わすためのねじ部301を規定する。上部キャップ342は下へ延びる外部スカート344を含み、内部スカートと外部スカートの間に環状ガスケット346が配置されて、口の環状端面に係合する。
気化器を充填するには、上部キャップ342を外し、容器224をひっくり返して口240を気化器の受け部の中に入れる。受け部は第５図から第12図を参照して上で説明したのとほぼ同じ構造をとることができる。口240の外部は、受け部のはめ合わせる溝すなわちくぼみ（たとえば、第９図の溝160）中で整列されて、その中に受けられるキーまたはリブ354を含むことが好ましい。これによって、適切なリブ形状構造を持つ特定の種類の容器のみに特定の種類の気化器を使用できるようになる。
好ましくは、三つの溝に受けられる三つのリブ354を設ける。リブと溝は周縁方向に隔てられる。各リブおよび各溝の中心は他の二つのリブまたは溝の中心からそれぞれ120゜である。
容器224が受け部内部へ動かされるにつれて、容器224の出口弁部材すなわちヘッド296上の封じキャップ297は入口弁ボス146（第７図に見える、この図ではボス146は容器の第一の実施例のプランジャ90に係合している）に係合する。入口弁ばね150は容器出口弁ばね294より弱いことが好ましい。したがって、入口弁132が先に開く。入口弁ピン136が受け部穴104の底に接触すると、容器224が一層内側に動くことによって容器出口弁キャップ297は出口弁座298から押し離されて容器224を開く。液体麻酔薬が容器から気化器の中に放出されるまで容器224をその場所に保持できる。気化器内部での麻酔薬の最高レベルは、第12図を参照して上で説明した容器口40の第一の実施例と同様にして、容器口240の出口の場所によって決定される。
第15図および第16図は気化器に充填する方法の他の態様を示す。その方法では、容器424はふたすなわちキャップを有する通常の種類のものにできる。そのキャップを外して液体麻酔薬を容器から放出させることができる。じょうご423を受け部22に差し込んで、液体麻酔薬を容器424からじょうご423に注ぎ込んでいる間、そこに保持できる。
第16図に示すように、じょうご423の下側末端部425は、ボス146の周囲の係合部材134に係合する寸法にされる。液体麻酔薬はじょうご423から係合部材134の縦溝を設けた部分の通路148を通って流れることができる。入口弁部材132が静止スリーブ114における環状封じリブ128から隔てられて開いた状態にあるように、じょうご423は入口弁ばね150を縮めるために十分な力で下に押される。
希望によっては、じょうご423は、静止スリーブ114のくぼみ160内に受けられるリブまたはキー（図示せず）を持つ特殊な形で提供できる。他のリブ形状構造を持つじょうごはこの気化器には使用できない。適切なリブ形状構造を持つじょうごを特定の液体麻酔薬および特定の気化器の供給者によって提供できる。そうすると、オペレータは異なるキーおよびキー溝システムを有する気化器にその特定のリブ付きじょうごを正しく挿入できない。したがって、オペレータが他のある種の気化器に、その麻酔薬を関連するリブ付きじょうごで充填しようと試みることは少ないであろう。
第17図および第18図は種々のキーおよびキー溝システムの横断面図を示す。第17図は、第２図から第12図および第13図と第14図に示す実施例に使用できる好適な３リブキーシステムを示す。リブＲは容器カラー（第２図から第12図）またはじょうご口（第13図と第14図）などの充填構造Ｃに設けられる。各リブの中心は他の二つのリブの中心から120゜である。同様に、気化器受け部のはめ合いスリーブＳ内部のはめ合い溝Ｇは、各溝の中心が他の二つの溝の中心から120゜であるように配置される。
各リブＲは二つの平行側面と、二つの側面を連結する部分的に円筒形の外面とを有する。各溝Ｇは対応するはめ合い構造を有する。
好ましくは、リブのベースにおける口またはカラーの外部半径は0.318インチで、受け部内の静止スリーブＳの内部の円筒形受け通路または穴Ｂの内部半径は0.324インチである。更に、各リブＲの外周面の半径は好ましくは0.371インチで、静止スリーブ内の受け溝Ｇの半径は0.393インチである。各リブの幅は0.150インチであることが好ましく、各溝の幅は0.170インチであることが好ましい。
第18図は、四つのリブが90゜おきに配置されたリブ構造の代替実施例である。リブおよび溝の寸法は、好適な実施例においては第17図を参照して説明したものと同じであることが好ましい。
リブおよび溝キー構造の他の実施例を第19図に示す。五つのリブが72゜おきに配置され、はめ合い溝に受けられるようにされている。好適な態様では、リブおよび溝の寸法は第17図を参照して説明したものと同じである。
もちろん、希望によっては、溝は容器のカラーまたはじょうご口に設けることができ、リブは受け部に設けることができる。
本発明の以上の詳細な説明と、その図示とから、発明の着想または本発明の原理の真の要旨または範囲から逸脱することなしに、数多くの変更および修正を行うことができる。
【図１】
0003608663.tif 000002
【図２】
0003608663.tif 000003
【図６Ａ】
0003608663.tif 000004
【図３】
0003608663.tif 000005
【図４】
0003608663.tif 000006
【図６】
0003608663.tif 000007
【図８】
0003608663.tif 000008
【図５】
0003608663.tif 000009
【図７】
0003608663.tif 000010
【図９】
0003608663.tif 000011
【図１０】
0003608663.tif 000012
【図１４】
0003608663.tif 000013
【図１５】
0003608663.tif 000014
【図１１】
0003608663.tif 000015
【図１２】
0003608663.tif 000016
【図１３】
0003608663.tif 000017
【図１８】
0003608663.tif 000018
【図１９】
0003608663.tif 000019
【図１６】
0003608663.tif 000020
【図１７】
0003608663.tif 000021